(57)【要約】【課題】  複数の単位パネルを上下及び左右に順次連結し、必要に応じてエンドポストあるいはコーナーポストを連結し、所望の高さ及び長さの間仕切装置を構築することができる積上げ式間仕切装置におけるパネル連結装置を提供する。【解決手段】  単位パネル１の両側端面に凹溝部１６を形成し、連結手段は下連結具２と上連結具３及び締結具４とからなり、下連結具と上連結具とは互いに上下方向の変位を規制して係脱可能な形状とし、左右の単位パネル間の連結部において両側凹溝部で形成される縦空間内に少なくとも締結具を配し、下連結具を両側凹溝部の下端部の下係止部１７に同時に係止し、且つ上連結具を両側凹溝部の上端部の上係止部１８に同時に係止し、該下連結具と上連結具を締結具で引き付けて左右の連結を行い、上段の連結手段の下連結具と下段の連結手段の上連結具とを上下に係止して連結する。【選択図】        図２
2010019037.tif 000002
【特許請求の範囲】
【請求項１】
複数の単位パネルを連結手段にて上下左右に連結し、必要に応じて前記単位パネルと同じ高さに設定した複数のエンドポストあるいはコーナーポストを該単位パネルの側端面に同じ連結手段にて上下に連結して構成する積上げ式間仕切装置におけるパネル連結装置であって、前記単位パネルの両側端面、エンドポスト及びコーナーポストの連結側の側面に凹溝部を形成し、前記連結手段は下連結具と上連結具及びそれらを引き付ける締結具とからなり、前記下連結具と上連結具とは互いに上下方向の変位を規制して係脱可能な形状とし、左右の単位パネル間又は単位パネルとエンドポストあるいはコーナーポスト間の連結部において両側凹溝部で形成される縦空間内に少なくとも前記締結具を配し、前記下連結具を両側凹溝部の下端部に形成した下係止部に同時に係止し、且つ前記上連結具を両側凹溝部の上端部に形成した上係止部に同時に係止するとともに、該下連結具と上連結具を前記締結具で引き付けて左右の連結を行い、更に上段の連結に供する連結手段の下連結具と下段の連結に供する連結手段の上連結具とを上下に係止して連結することを特徴とする積上げ式間仕切装置におけるパネル連結装置。
【請求項２】
前記連結手段として、両側に前記下係止部に下方から係止する係止爪部を上部に有する下連結具と、両側に前記上係止部に上方から係止する係止爪部を下部に有する上連結具と、前記凹溝部内に位置して前記下連結具と上連結具を引き付けるネジ式の締結具とを備え、更に前記下連結具の下部と前記上連結具の上部とにそれぞれ互いに上下変位不能に係合する第１係合部と第２係合部を形成してなる請求項１記載の積上げ式間仕切装置におけるパネル連結装置。
【請求項３】
前記単位パネルは、下端部に下嵌合部を形成するとともに、上端部に前記下嵌合部に凹凸嵌合してパネル面外方向の変位を規制し得る上嵌合部を形成し、複数の単位パネルを上下に積上げる際に下段の単位パネルの上嵌合部と上段の単位パネルの下嵌合部とを嵌合してなる請求項１又は２記載の積上げ式間仕切装置におけるパネル連結装置。
【請求項４】
前記下連結具の第１係合部が側面視略Ｔ字形の係合凸部であり、前記上連結具の第２係合部が係合凹部であり、それぞれパネル面内方向にスライド係合する構造である請求項２又は３記載の積上げ式間仕切装置におけるパネル連結装置。
【請求項５】
前記下連結具の第１係合部が係合凹部であり、前記上連結具の第２係合部が側面視略Ｔ字形の係合凸部であり、それぞれパネル面内方向にスライド係合する構造である請求項２又は３記載の積上げ式間仕切装置におけるパネル連結装置。
【発明の詳細な説明】
【技術分野】
【０００１】
本発明は、積上げ式間仕切装置におけるパネル連結装置に係わり、更に詳しくは単位パネルを所望の高さに積上げて上下及び左右に連結する積上げ式間仕切装置におけるパネル連結装置に関するものである。
【背景技術】
【０００２】
従来から間仕切パネル同士を、支柱を介在させずに順次連結する構造のパネルの組立構造は提供されている。例えば、特許文献１には、パネルの縦枠の側端に外方へ開放してなる縦方向の凹溝部を設けるとともに、該凹溝部の下部に係止片を設け、隣接するパネルの縦枠同士を接合するとともに、両係止片を引き離し不能に係合した状態で、両縦枠の相対向した凹溝部の上端に連結具のテーパー溝を上方から嵌合するとともに、連結具の下方にあって両縦枠の開口で係止された係合片に、連結具の貫通孔に上方から挿通したボルトを係合片の螺孔にネジ込むことで、互いに近接させて締め付けるパネルの組立構造が開示されている。
【０００３】
また、特許文献２には、側端面に複数の係合孔が上下方向に間隔をあけて穿設されている間仕切パネルと、下部の前記係合孔に係合しうる上向き傾斜のフック部を有する下部の駒部材と、上部の前記係合孔に係合しうる下向き傾斜のフック部を有する上部の駒部材と、前記下部の駒部材に螺合されるとともに、前記上部の駒部材が回転自在に遊嵌され、これを上方に抜け止めする頭を有する連結杆とからなり、前記複数の係合孔のうち、互いに対応する上下２個を選んで、その下部の係合孔に、下部の駒部材における上向き傾斜するフック部を、また上部の係合孔に、上部の駒部材における下向き傾斜するフック部をそれぞれ係合させるとともに、前記連結杆を回転させることにより、各駒部材のフック部の傾斜面を前記係合孔に深く係合させて、両間仕切パネルを互いに引き寄せ、連結する間仕切パネルの連結装置が開示されている。
【０００４】
しかし、特許文献１、２に記載のものは、パネルを上下に積み重ねて連結する構造ではない。尚、間仕切パネルの上部に、パネルを延長して取付けるものも存在するが、上部パネルを下部パネルの上縁に凹凸嵌合するとともに、該上部パネルを上下に貫通させたボルトを下部パネルの上端の横枠に螺合する構造のものは提案されている。
【特許文献１】実開平０５−０４７１１４号公報
【特許文献２】特許第３６７３９７６号公報
【発明の開示】
【発明が解決しようとする課題】
【０００５】
そこで、本発明が前述の状況に鑑み、解決しようとするところは、複数の単位パネルを簡単且つ強固な連結構造によって上下及び左右に順次連結し、必要に応じてエンドポストあるいはコーナーポストを連結し、所望の高さ及び長さの間仕切装置を構築することができる積上げ式間仕切装置におけるパネル連結装置を提供する点にある。
【課題を解決するための手段】
【０００６】
本発明は、前述の課題解決のために、複数の単位パネルを連結手段にて上下左右に連結し、必要に応じて前記単位パネルと同じ高さに設定した複数のエンドポストあるいはコーナーポストを該単位パネルの側端面に同じ連結手段にて上下に連結して構成する積上げ式間仕切装置におけるパネル連結装置であって、前記単位パネルの両側端面、エンドポスト及びコーナーポストの連結側の側面に凹溝部を形成し、前記連結手段は下連結具と上連結具及びそれらを引き付ける締結具とからなり、前記下連結具と上連結具とは互いに上下方向の変位を規制して係脱可能な形状とし、左右の単位パネル間又は単位パネルとエンドポストあるいはコーナーポスト間の連結部において両側凹溝部で形成される縦空間内に少なくとも前記締結具を配し、前記下連結具を両側凹溝部の下端部に形成した下係止部に同時に係止し、且つ前記上連結具を両側凹溝部の上端部に形成した上係止部に同時に係止するとともに、該下連結具と上連結具を前記締結具で引き付けて左右の連結を行い、更に上段の連結に供する連結手段の下連結具と下段の連結に供する連結手段の上連結具とを上下に係止して連結する積上げ式間仕切装置におけるパネル連結装置を構成した（請求項１）。
【０００７】
ここで、前記連結手段として、両側に前記下係止部に下方から係止する係止爪部を上部に有する下連結具と、両側に前記上係止部に上方から係止する係止爪部を下部に有する上連結具と、前記凹溝部内に位置して前記下連結具と上連結具を引き付けるネジ式の締結具とを備え、更に前記下連結具の下部と前記上連結具の上部とにそれぞれ互いに上下変位不能に係合する第１係合部と第２係合部を形成してなることが好ましい（請求項２）。
【０００８】
また、前記単位パネルは、下端部に下嵌合部を形成するとともに、上端部に前記下嵌合部に凹凸嵌合してパネル面外方向の変位を規制し得る上嵌合部を形成し、複数の単位パネルを上下に積上げる際に下段の単位パネルの上嵌合部と上段の単位パネルの下嵌合部とを嵌合してなることが好ましい（請求項３）。
【０００９】
そして、前記下連結具の第１係合部が側面視略Ｔ字形の係合凸部であり、前記上連結具の第２係合部が係合凹部であり、それぞれパネル面内方向にスライド係合する構造であることがより好ましい（請求項４）。
【００１０】
また、前記下連結具の第１係合部が係合凹部であり、前記上連結具の第２係合部が側面視略Ｔ字形の係合凸部であり、それぞれパネル面内方向にスライド係合する構造であることも好ましい（請求項５）。
【発明の効果】
【００１１】
以上にしてなる請求項１に係る発明の積上げ式間仕切装置におけるパネル連結装置は、左右の単位パネル間又は単位パネルとエンドポストあるいはコーナーポスト間の連結部において両側凹溝部で形成される縦空間内に少なくとも締結具を配し、下連結具を両側凹溝部の下端部に形成した下係止部に同時に係止し、且つ上連結具を両側凹溝部の上端部に形成した上係止部に同時に係止するとともに、該下連結具と上連結具を前記締結具で引き付けるだけで左右の連結を行うことができ、しかも同じ連結手段で単位パネル同士又は他にパネルとエンドポストあるいはコーナーポストとを左右に強固に連結することができ、更に上段の連結に供する連結手段の下連結具と下段の連結に供する連結手段の上連結具とを上下に係止して連結することで、特別な連結具を用いることなく複数の単位パネルを積上げることができ、同様にエンドポストあるいはコーナーポストを上方に連設することができ、所望の高さの間仕切装置を構成でき、更に段違い等の間仕切装置を構成することも簡単である。そして、前記連結手段は、隣接する単位パネル間、単位パネルとエンドポストあるいはコーナーポスト間に、両凹溝部で形成される縦空間内に収容されるので、外観的すっきりとしたものとなる。
【００１２】
請求項２によれば、左右に配した両単位パネルの各凹溝部の下端部に形成した下係止部に、下連結具の両係止爪部を下方から同時に係止するとともに、各凹溝部の上端部に形成した上係止部に、上連結具の両係止爪部を上方から同時に係止し、前記凹溝部内に位置させたネジ式の締結具で前記下連結具と上連結具を引き付けることによって、左右の単位パネルを強固に連結することができ、また既に左右に連結した単位パネルの上段に単位パネルを連結するには、下段の単位パネルの連結に使用した上連結具の第２係合部に、上段の単位パネルを左右に連結するために使用する下連結具の第１係合部を上下変位不能に係合するだけで、上下に強固に連結することができる。
【００１３】
請求項３によれば、下段の単位パネルの上端部の上嵌合部と上段の単位パネルの下端部の下嵌合部を凹凸嵌合することにより、複数の単位パネルを上下に積上げる際に、パネル面外方向の変位を確実に規制することができる。
【００１４】
請求項４によれば、下段の単位パネルの左右連結に供した上連結具の第２係合部としての係合凹部に、上段の単位パネルの左右連結に使用する下連結具の第１係合部としての側面視略Ｔ字形の係合凸部を、パネル面内方向にスライド係合するだけで上下変位不能に係合することができ、上段の左右の単位パネルを連結手段で連結すると同時に上下方向の連結も達成できるので、連結作業が容易である。
【００１５】
請求項５によれば、下段の単位パネルの左右連結に供した上連結具の第２係合部としての側面視略Ｔ字形の係合凸部に、上段の単位パネルの左右連結に使用する下連結具の第１係合部としての係合凹部を、パネル面内方向にスライド係合するだけで上下変位不能に係合することができ、上段の左右の単位パネルを連結手段で連結すると同時に上下方向の連結も達成できるので、連結作業が容易である。
【発明を実施するための最良の形態】
【００１６】
次に、添付図面に示した実施形態に基づき、本発明を更に詳細に説明する。図１〜図８は本発明に係る積上げ式間仕切装置におけるパネル連結装置の第１実施形態を示し、図中符号１は単位パネル、２は下連結具、３は上連結具、４は締結具をそれぞれ示している。
【００１７】
本実施形態に係る積上げ式間仕切装置は、アルミ押出し型材からなる複数の単位パネル１，…を下連結具２、上連結具３及び締結具４とからなる連結手段にて上下左右に連結して所望の高さ及び長さの間仕切装置を構成する。そして、同じくアルミ押出し型材からなる笠木ベース５、笠木カバー６及び巾木部材７が、直線状に連結して間仕切装置を構築するための最小構成となる。それ以外に、パネル終端面の処理のためのエンドポスト及び端部カバーやＬ字状、Ｔ字状あるいは十字状に連結するためのコーナーポスト及びポストカバー等が必要であるが、これらの構成については後述する。尚、アルミ押出し型材の代わりに、合成樹脂製の押出し型材を用いることも可能である。
【００１８】
先ず、図１〜図８に示すように、前記単位パネル１は、表面板８と裏面板９とが下嵌合部１０と上嵌合部１１及び単又は複数の連結部１２，…で連結された中空形状であり、両側切断面において中央部に凹溝１３を形成し、両側に切断面を覆う鍔部１５と中央部に凹溝部１６を設けた端部部材１４を、該凹溝部１６を凹溝１３に嵌合するとともに、前記連結部１２，…にネジ止めし、該端部部材１４の凹溝部１６内に下係止部１７と上係止部１８を形成したものである。本発明においては、単位パネル１の構造には限定されず、該単位パネル１には両側端面に前記凹溝１３，１３を有するとともに、上下端部に前記下嵌合部１０と上嵌合部１１とを有するものであれば、どのような構造のパネルも採用できる。例えば、四角のフレームの表裏両面にパネル板を取付けた構造のもの、あるいは中実構造のものでも構わない。
【００１９】
実際には、前記凹溝１３は、下嵌合部１０と上嵌合部１１及び単又は複数の連結部１２，…の中央部を切り欠いて形成する。そして、前記連結部１２の中央部に一体形成された断面Ｃ字形の下穴１９に前記端部部材１４の凹溝部１６の底部から貫通させたタッピンねじ２０を螺合して取付ける。また、前記端部部材１４は、図５に示すように、前記凹溝１３に嵌合する部分は筒状になっており、複数の単位パネル１，…に跨って取付ける場合に長尺になっても十分な剛性を確保しているため、前記凹溝部１６は浅くなっている。前記前記凹溝部１６の底面部２１の下端部を切り欠いて前記下係止部１７を形成するとともに、該底面部２１の上端部を切り欠いて前記上係止部１８を形成している。
【００２０】
そして、前記単位パネル１の下嵌合部１０と上嵌合部１１は、互いに凹凸嵌合してパネル面外方向の変位を規制する構造となっている。具体的には、前記下嵌合部１０には下方へ開放した係合溝２２，２２を形成し、前記上嵌合部１１には前記下嵌合部１０の係合溝２２に係入する上方へ突設した突部２３，２３を突設している。そして、前記上嵌合部１１の突部２３，２３の間には、開口縁よりも内部が広がった嵌合溝２４を形成している。更に、前記単位パネル１の表面板８と裏面板９の上下縁に沿って係止縁２５，…を形成し、上下に位置する単位パネル１，１の係止縁２５，２５を対向させ且つその間に開口部２６を設けて上下の単位パネル間に沿ってハンギング溝２７を形成するようになっている。尚、前記ハンギング溝２７は、前記係止縁２５の他に前記下嵌合部１０と上嵌合部１１の一部も使用して構成され、上下の単位パネル１，１の接合線が該ハンギング溝２７の開口部２６の上縁に一致するように設定し、接合線が見立たないようにしている。同様に、前記笠木カバー６と単位パネル１間、前記巾木部材７と単位パネル１間にもハンギング溝２７が形成される。
【００２１】
次に、前記単位パネル１，１を上下左右に連結する連結構造について、図２〜図４に基づいて具体的に説明する。本発明の場合、連結部には支柱を介在させず、共通の連結手段で上下方向の連結と左右方向（横方向）の連結を同時に実現することが特徴である。前記下連結具２は、ブロック状の金属部材であり、両側に前記下係止部１７に下方から係止する係止爪部２８，２２８を上部に有するとともに、上部中央部に筒部を突設して角孔２９を形成し、更に下部に第１係合部３０を形成している。
【００２２】
一方、前記上連結具３は、ブロック状の金属部材であり、両側に前記上係止部１８に上方から係止する係止爪部３１，３１を下部に有するとともに、下部中央部に筒部を突設して角孔３２を形成し、該角孔３２の内部に上下貫通した通孔３３を形成し、更に上部に第２係合部３４を形成している。ここで、前記下連結具２の下方へ突設した第１係合部３０が側面視略Ｔ字形の係合凸部であり、前記上連結具３の第２係合部３４が内部よりも開口部が狭い係合凹部であり、前記第１係合部３０と第２係合部３４がパネル面内方向にスライド係合してそれぞれ互いに上下変位不能に係合する構造である。ここで、前記単位パネル１の上嵌合部１１の嵌合溝２４と上連結具３の第２係合部３４とは断面形状を略一致させている。
【００２３】
そして、前記締結具４は、前記下連結具２の角孔２９と前記上連結具３の角孔３２に上下摺動可能に嵌入する断面正方形の連結軸３５と締結ネジ３６，３６とからなっている。前記連結軸３５の下端部は、下連結具２の角孔２９に嵌合し、側方からＣ字形のバネピン３７を筒部と連結軸３５に密嵌して固定する。前記連結軸３５の上端部には、軸方向に螺孔３８を形成してあり、上端部を前記上連結具３の角孔３２に嵌合し、締結ネジ３６を上方から通孔３３に通して螺孔３８に螺合する。ここで、前記締結具４は、全て両端部部材１４，１４の凹溝部１６，１６内に収容されるようになっている。
【００２４】
そして、前記単位パネル１，…を上下左右に連結するには、下段から上段へ順次、下連結具２、上連結具３及び締結具４を用いて行う。先ず、前記連結軸３５の下端部に取付けた下連結具２の両係止爪部２８，２８を、左右の単位パネル１，１の端部同士、具体的にはそれぞれの端部部材１４，１４の鍔部１５，１５同士を接合し、各端部部材１４，１４の下係止部１７，１７に係止する。この際に、前記連結軸３５は凹溝部１６，１６で形成される縦孔内に立起状態で位置する。それから、上方から前記上連結具３の角孔３２内に連結軸３５の上端部を嵌合するとともに、両係止爪部３１，３１を各端部部材１４，１４の上係止部１８，１８に係止し、上方から締結ネジ３６を通孔３３を通して挿入し、前記連結軸３５の螺孔３８に螺合する。この締結ネジ３６を締め付けることにより、下連結具２と上連結具３を引き付けるとともに、前記係止爪部２８，２８及び係止爪部３１，３１の傾斜を利用して左右の単位パネル１，１を引き寄せて連結するのである。
【００２５】
ここで、前記端部部材１４の一方の鍔部１５には、凹溝部１６の開口部に沿って突条１５Ａを形成するととともに、他方の鍔部１５には、凹溝部１６の開口部に沿って条溝１５Ｂを形成している。そして、左右の単位パネル１，１を連結する際に、各端部部材１４，１４の鍔部１５，１５を接合すると、前記突条１５Ａと条溝１５Ｂが係合し、パネル面外方向への変位を規制し、正確な位置で連結することができるようになっている。
【００２６】
そして、既に左右に連結した単位パネル１，…の上段に単位パネル１，１を連結するには、図１及び図２に示すように、下段の単位パネル１，１の連結に用いた上連結具３を利用する。具体的には、前記連結軸３５の下端部に取付けた下連結具２の第１係合部３０を、下段の連結に用いた上連結具３の第２係合部３４にパネル面内方向からスライド係合させて立起状態に維持し、その状態で両単位パネル１，１の下嵌合部１０を、下段の単位パネル１，１の上嵌合部１１に載置して凹凸嵌合するとともに、各端部部材１４，１４の下係止部１７，１７を下連結具２の両係止爪部２８，２８に係合させる。その後は、前記同様に上方から前記上連結具３の角孔３２内に連結軸３５の上端部を嵌合するとともに、両係止爪部３１，３１を各端部部材１４，１４の上係止部１８，１８に係止し、上方から締結ネジ３６を通孔３３を通して挿入し、前記連結軸３５の螺孔３８に螺合する。すると、前記下連結具２が引き上げられ、該第１係合部３０が下方の上連結具３の第２係合部３４に強く係合する。この際、前記下連結具２の両係止爪部２８，２８が各端部部材１４，１４の下係止部１７，１７に同時に強く接触するように寸法設定することが好ましい。
【００２７】
次に、前記笠木ベース５及び笠木カバー６を最上段の単位パネル１の上端、巾木部材７を最下段の単位パネル１の下端にそれぞれ連結する構造を図１、図２、図４〜図７に基づいて簡単に説明する。前記笠木ベース５、笠木カバー６及び巾木部材７は、アルミ押出し型材から作製されており、前記単位パネル１の横幅に応じて適宜長さに切断される。前記笠木ベース５の下部の嵌合部３９の形状は、前記単位パネル１の下嵌合部１０の形状と類似し、また前記巾木部材７の上部の嵌合部４０の形状は、前記単位パネル１の上嵌合部１１の形状と一致している。前記笠木カバー６は、笠木ベース５を完全に覆うように上方から外嵌する。
【００２８】
前記笠木ベース５を最上段の単位パネル１の上端に取付けるには、該笠木ベース５の底面を貫通させたネジ４１を前記単位パネル１の上嵌合部１１に形成した嵌合溝２４内に側端から挿入した係止部材４２に螺合して締め付ける。具体的には、前記笠木ベース５の底面に、前記ネジ４１を挿通する通孔４３とその両側に角穴４４，４４を形成する。そして、前記係止部材４２は、前記嵌合溝２４に上方への抜止め状態でスライド係合する長方形の板片の中央部に螺孔４５を形成するとともに、その両側に前記嵌合溝２４から上方へ突出し、前記笠木ベース５の角穴４４，４４に嵌入する突起４６，４６を上方へ向けて形成している。そして、前記係止部材４２を単位パネル１の嵌合溝２４に係合した状態で、前記笠木ベース５の嵌合部３９を単位パネル１の上嵌合部１１に嵌合するとともに、前記係止部材４２の突起４６，４６を笠木ベース５の角穴４４，４４に嵌合し、上方から通孔４３にネジ４１を通して係止部材４２の螺孔４５に螺合して取付ける。
【００２９】
また、隣接する単位パネル１，１の連結部においては、両側の笠木ベース５，５にわたる長さの連結板４７を用いて強固に連結する。前記連結板４７の両端部には、前記笠木ベース５の通孔４３と角穴４４，４４とに対応させて通孔４８と角穴４９，４９をそれぞれ形成している。そして、前記笠木ベース５の角穴４４，４４から上方へ突出した前記係止部材４２の突起４６，４６に、前記連結板４７の角穴４９，４９を嵌合した状態で、該連結板４７の通孔４８と笠木ベース５の通孔４３を通したネジ４１を係止部材４２の螺孔４５に螺合して取付ける。前記連結板４７の両側がそれぞれ隣接する笠木ベース５，５を介して単位パネル１，１に連結される。
【００３０】
そして、前記笠木カバー６は、断面略コ字形であり、その凹溝内上面には断面Ｌ字形の一対の係止片５０，５０が平行に対向形成され、合成樹脂製の嵌合部材５１の上部の係止板５２を回転係合できるようになっている。前記笠木カバー６には、所定数の嵌合部材５１，…を装着した状態で、前記笠木ベース５に上方から嵌合すると、前記嵌合部材５１の下部に形成した脚片５３，５３が笠木ベース５の内部に弾性的に係合する。
【００３１】
前記巾木部材７は、両端部に前記単位パネル１の凹溝１３と同様な凹溝５４を形成し、該凹溝５４に上段の単位パネル１の端部部材１４の下方延長部を嵌合し、前記同様にネジ止めするとともに、上部の嵌合部４０を単位パネル１の下嵌合部１０に凹凸嵌合する。尚、前記巾木部材７には適宜アジャスター５５を設けている。
【００３２】
ここで、本発明に係る間仕切装置は、現場で順次積上げて構築することが特徴であるが、下部は最小限の高さが必要であるので、当該巾木部材７と１枚〜４枚の単位パネル１，…を予め工場出荷時点で連結しておくことも好ましい。その場合には、長尺の前記端部部材１４，１４を用いて巾木部材７と単位パネル１，…を上下に連結する。あるいは、取り扱いができる程度に、複数の単位パネル１，…を上下に凹凸嵌合するとともに、両端の各凹溝１３，…に亘って長尺の端部部材１４，１４の凹溝部１６を嵌合し、タッピンねじ２０で強固に連結して一体物の複合パネルを形成し、これを単位パネル１と同様に扱って前述のように上下左右に連結することも可能である。そして、この複合パネルを左右に連結するには、上下高さに応じた長尺の連結軸３５を用意するだけで良く、その他の下連結具２や上連結具３は共通のものを使用できる。
【００３３】
前記笠木ベース５と笠木カバー６の端部には、合成樹脂製の笠木キャップ５６を嵌着して端部を閉塞している。尚、前記笠木キャップ５６のフランジ部５７の厚さは、前記端部部材１４の鍔部１５の厚さの２倍とし、左右の連結部において一方の側の笠木ベース５と笠木カバー６の端部にのみ笠木キャップ５６を嵌着し、他方の側の笠木ベース５と笠木カバー６の端面はフランジ部５７を当接するようになっている。前記笠木キャップ５６のフランジ部５７から前記笠木ベース５に上方から嵌着する装着部５８を延設し、またフランジ部５７の下部には前記上連結具３を収容する凹部５９を設けている。
【００３４】
このように複数の単位パネル１，…を上下左右に連結した状態は、図１に主要部分を示している。この場合、上下の単位パネル１，１間に形成したハンギング溝２７は左右に連続して目地部を兼ねている。また、左右の単位パネル１，１間には端部部材１４，１４の鍔部１５，１５が重なって存在している以外に何もなく、すっきりとした外観となっている。同様に、最上段の単位パネル１と笠木カバー６との間にも前記同様なハンギング溝２７が設けられている。また、最下段の単位パネル１と前記巾木部材７との間にも前記同様なハンギング溝２７が設けられている。そして、前記単位パネル１の表面板８と裏面板９、笠木カバー６及び巾木部材７の側面は、横方向に延び、上下方向に繰り返しの波形面となっており、全体として統一的な意匠を構成している。
【００３５】
尚、前記下連結具２の第１係合部３０は、前記単位パネル１の上嵌合部１１に形成した嵌合溝２４にスライド係合することが可能であるので、下段の連結に供した上連結具３の第２係合部３４に係合させなくても、上段に単位パネル１を積上げて連結することが可能である。
【００３６】
図９（ａ）は、左右方向に連結した単位パネル１，１で笠木ベース５を装着する前の状態を示し、図９（ｂ）は、笠木ベース５を装着するとともに、連結板４７で連結した状態を示している。図１０は、終端部に位置する単位パネル１の端部に平面視コ字形の端部カバー６０をエンドポスト６１を介して取付けた状態を示している。図１１は、直線状に連結する中間ポスト６２を介して二つの単位パネル１，１を直線状に連結するとともに、段位違いで低い単位パネル１を中間ポスト６２を介してＴ字状に連結した状態を示している。図１２は、二つの単位パネル１，１をコーナーポスト６３を介してＬ字状に連結するとともに、コーナーポスト６３を平面視Ｌ字形のポストカバー６４で覆ったＬ字状連結状態を示している。図１３は、三つの単位パネル１，…をコーナーポスト６５を介してＴ字状に連結するとともに、コーナーポスト６５を平面視直線状のポストカバー６６で覆ったＴ字状連結状態を示している。そして、図１４は、四つの単位パネル１，…をコーナーポスト６７を介して十字状に連結した十字状連結状態を示している。
【００３７】
先ず、図１５及び図１８に基づいて、終端部の処理を説明する。前記平面視コ字形の端部カバー６０は、前記単位パネル１の表面と同じ波形面を形成したアルミ押し出し型材を加工して形成したものである。前記端部カバー６０の内側の上端部と下部とに下向きの係止部６８，６８を形成し、上下縁には前記単位パネル１の係止縁２５と同様な端縁６９，６９を形成している。更に、前記端部カバー６０の内側の上部と下端部に上向きの係止部７０，７０を形成し、９０度に折曲したコーナー部に係止部７０を利用して合成樹脂製のＬ字形保形部材７１を嵌合している。
【００３８】
前記エンドポスト６１は、前記端部部材１４と類似した断面形状を持つアルミ押し出し型材から作製し、凹溝部７２と両側に鍔部７３，７３を有している。このエンドポスト６１の鍔部７３，７３と単位パネル１の端部部材１４の鍔部１５，１５を接合した際に、前記同様にパネル面外方向へズレないように凹凸嵌合するようにしている。そして、前記エンドポスト６１の凹溝部７２の内部の下端部に前記下係止部５９と同様な下係止部７４を形成し、上端部に前記上係止部６０と同様な上係止部７５を形成し、前記下連結具２、上連結具３及び締結具４を用いて端部部材１４にエンドポスト６１を連結できるようにしている。前記エンドポスト６１の凹溝部７２の上下部の底部に開口７６，７６を形成し、該開口７６，７６に係止具７７を取付け、該係止具７７の上向き係止片７８に前記端部カバー６０の係止部６８，６８を係止する。ここで、上下の端部カバー６０，６０の端縁６９，６９の間には、図１８に示すように、前記ハンギング溝２７に連続する横溝７９が形成される。
【００３９】
また、最上段の端部カバー６０の上端と前記笠木カバー６の端部の空間部には、合成樹脂製の上端キャップ８０を取付け、該上端キャップ８０と最上段の端部カバー６０の間にも前記同様な横溝７９が形成されるようになっている。前記上端キャップ８０の下部には前記エンドポスト６１の上端部に嵌合する嵌合突起８１を形成するとともに、連結側の一側面には爪片８２を突設している。そして、前記上端キャップ８０の嵌合突起８１をエンドポスト６１の上端部に嵌合した後、前記笠木ベース５の端部に上方から嵌合した前記笠木キャップ５６の凹部５９で爪片８２を上方から当止し、更に笠木キャップ５６の上方から笠木カバー６を嵌着することにより、該笠木カバー６の端部で笠木キャップ５６の装着部５８を上方から当止することから、当該笠木キャップ５６が上方へ抜けることを防止している。また、前記単位パネル１を左右で高さを段違いに連結する場合もあるが、その場合には、高い方の単位パネル１の側端には前記エンドポスト６１と端部カバー６０を連結して端部を隠蔽する。
【００４０】
次に、図１６、図１７及び図１９に基づいて、Ｌ字状連結部の構造を説明する。前述のように、コーナーポスト６３の隣接した二面に前述のようにそれぞれ単位パネル１，１を連結し、残りの２面の外側面に外面に平面視Ｌ字形のポストカバー６４を取付けるようになっている。前記コーナーポスト６３は、アルミ押し出し型材から作製し、中央部に四角形の筒部８３を有し、その一つのコーナー部から矢印形断面のエッジ部８４を形成し、該エッジ部８４に対向する二つのコーナー部に断面略Ｌ字状の延長部８５，８５をそれぞれ形成し、エッジ部８４と延長部８５とで前記エンドポスト６１の凹溝部７２と同様な凹溝部８６を形成するとともに、延長部８５の端縁に一体形成した外側へ延びた鍔部８７とエッジ部８４の一面とで前記単位パネル１の端部部材１４の鍔部１５，１５に接合するようになっている。そして、前記コーナーポスト６３の外側二面の上下部に前記係止具７７を嵌着する開口８８，８８を形成している。そして、前記コーナーポスト６３の凹溝部８６内の下端部と上端部にそれぞれ下係止部８９と上係止部９０を形成し、前記同様に下連結具２、上連結具３及び締結具４を用いて単位パネル１の端部部材１４に連結できるようになっている。前記ポストカバー６４は、前記端部カバー６０と同一断面形状の型材を加工して、平面視Ｌ字形に成形したものであり、内面の上下部に係止部６８，６８を有する。また、前記同様に内側コーナー部に係止部７０を利用して合成樹脂製のＬ字形保形部材７１を嵌合して形状を維持している。
【００４１】
そして、前記コーナーポスト６３の二対あるエッジ部８４と鍔部８７を有する側に単位パネル１の端部部材１４を接合して前記同様に下連結具２、上連結具３及び締結具４にて連結する。前記コーナーポスト６３の残りの二面の開口８８，…にそれぞれ前記係止具７７，…を取付け、前記ポストカバー６４の係止部６８を係止する。前記同様に、上下のポストカバー６４，６４の間には、前記ハンギング溝２７に連続する横溝９１が形成され、合成樹脂製の上端キャップ９２と最上段のポストカバー６４の間にも横溝９１が形成されている。この場合も、前記上端キャップ９２の下部に前記コーナーポスト６３の上端部に嵌合する嵌合突起９３を突設するとともに、連結側の一側面に爪片９４を突設し、前記笠木キャップ５６の凹部５９で該爪片９４を上方から当止し、抜止めを図っている。
【００４２】
また、図２０に示すように、Ｔ字状連結部においては、前述のＬ字状連結部と略同じであるが、コーナーポスト６５は隣接する二つのコーナー部にエッジ部８４，８４を有し、各エッジ部８４に隣接するコーナー部にそれぞれ前記同様の延長部８５を形成し、またポストカバー６６が直線状の平面視形状を有している。前記コーナーポスト６５の二つのエッジ部８４，８４を有する一面と、各エッジ部８４と隣接するコーナー部の鍔部８７を有する二面に、それぞれ単位パネル１の端部部材１４を接合して前記同様に下連結具２、上連結具３及び締結具４にて連結する。そして、コーナーポスト６５の外側一面に前記同様に形成した開口８８，８８に係止具７７，７７を嵌着し、直線状のポストカバー６６の係止部６８，６８を係止して保持する。そして、前記同様に上下のポストカバー６６，６６の間には、前記ハンギング溝２７に連続する横溝９５が形成され、上端キャップ９２と最上段のポストカバー６６の間にも横溝９５が形成されている。また、前記上端キャップ９２の連結側三面には、それぞれ笠木ベース５に嵌着した笠木キャップ５６のフランジ部５７が当接している。
【００４３】
そして、十字状連結部の連結構造は図示しないが、この場合には前記コーナーポスト６７の４つのコーナー部にエッジ部８４，…を形成した構造とし、各面に単位パネル１，…を連結するので、前述のような端部カバーは不要である。つまり、前記コーナーポスト６７の各エッジ部８４，８４に単位パネル１の端部部材１４を接合して前記同様に下連結具２、上連結具３及び締結具４にて連結する。
【００４４】
次に、図２１〜図２３に基づき本発明の第２実施形態に係る積上げ式間仕切装置におけるパネル連結装置を説明する。基本的な構造は前記同様であるので、同一構成には同一符号を付してその説明は省略する。本実施形態に係る積上げ式間仕切装置におけるパネル連結装置は、下連結具２の第１係合部３０が係合凹部であり、前記上連結具３の第２係合部３４が側面視略Ｔ字形の係合凸部であり、それぞれパネル面内方向にスライド係合する構造である。
【００４５】
本実施形態では、前記端部部材１４の凹溝部１６の両側壁の途中部から互いに対向する方向に一対のリブ９６，９６を突設し、該リブ９６，９６の下端部を切り欠いて前記下係止部１７を形成するとともに、該リブ９６，９６の上端部を切り欠いて前記上係止部１８を形成している。そして、前記単位パネル１の下嵌合部１０には下方へ開放した係合溝９７，９７を形成し、前記上嵌合部１１には前記下嵌合部１０の係合溝９７に係入する上方へ突設した突片９８，９８を突設している。同様に、笠木部材９９と単位パネル１間、前記巾木部材７と単位パネル１間にもハンギング溝２７が形成される。尚、笠木部材９９もアルミ押出し型材で形成し、上面の凹溝には図示しない笠木カバーが嵌着されて塞がれている。
【００４６】
そして、本実施形態のパネル連結装置は、図２１〜図２３に基づいて詳細に説明する。前記下連結具２は、ブロック状の金属部材であり、両側に前記下係止部１７に下方から係止する係止爪部２８，２８を上部に有するとともに、上部中央部に筒部を突設して角孔２９を形成し、該角孔２９の内部に上下貫通した通孔１００を形成し、更に下部に第１係合部３０を形成している。
【００４７】
一方、前記上連結具３は、ブロック状の金属部材であり、両側に前記上係止部１８に上方から係止する係止爪部３１，３１を下部に有するとともに、下部中央部に筒部を突設して角孔３２を形成し、該角孔３２の内部に上下貫通した通孔３３を形成し、更に上部に第２係合部３４を形成している。ここで、前記下連結具２の第１係合部３０が内部よりも開口部が狭い係合凹部であり、前記上連結具３の第２係合部３４が側面視略Ｔ字形の係合凸部であり、パネル面内方向にスライド係合してそれぞれ互いに上下変位不能に係合する構造である。
【００４８】
そして、前記締結具４は、前記下連結具２の角孔２９と前記上連結具３の角孔３２に上下摺動可能に嵌入する断面正方形の連結軸３５と締結ネジ３６，３６とからなり、前記連結軸３５の両端部に軸方向に螺孔３８を形成している。前記締結具４の下端部を前記下連結具２の角孔２９に嵌合し、締結ネジ３６を下方から通孔１００に通して螺孔３８に螺合する。また、前記締結具４の上端部を前記上連結具３の角孔３２に嵌合し、締結ネジ３６を上方から通孔３３に通して螺孔３８に螺合する。ここで、前記締結具４は、全て両端部部材１４，１４の凹溝部１６，１６内に収容されるようになっている。
【００４９】
そして、前記単位パネル１，…を上下左右に連結するには、本実施形態でも下段から上段へ順次締結具４を用いて行う。先ず、前記連結軸３５の下端部を下連結具２に連結した状態で、該下連結具２の両係止爪部２８，２８を、左右の単位パネル１，１の端部同士、具体的にはそれぞれの端部部材１４，１４の鍔部１５，１５同士を接合し、各端部部材１４，１４の下係止部１７，１７に係止する。この際に、前記連結軸３５は凹溝部１６，１６で形成される縦空間内に立起状態で位置する。それから、上方から前記上連結具３の角孔３２を連結軸３５の上端部を嵌合するとともに、両係止爪部３１，３１を各端部部材１４，１４の上係止部１８，１８に係止し、上方から締結ネジ３６を通孔３３を通して挿入し、前記連結軸３５の螺孔３８に螺合する。この上方の締結ネジ３６を締め付けることにより、下連結具２と上連結具３を引き付けるとともに、前記係止爪部２８，２８及び係止爪部３１，３１の傾斜を利用して左右の単位パネル１，１を引き寄せて連結するのである。
【００５０】
そして、既に左右に連結した単位パネル１，…の上段に単位パネル１，１を連結するには、図２１〜図２３に示すように、下段の単位パネル１，１の連結に用いた上連結具３を利用する。具体的には、前記連結軸３５の下端部を下連結具２に連結した状態で、該下連結具２の第１係合部３０を、下段の連結に用いた上連結具３の第２係合部３４にパネル面内方向からスライド係合させて立起状態に維持し、その状態で両単位パネル１，１の下嵌合部１０を、下段の単位パネル１，１の上嵌合部１１に載置して凹凸嵌合するとともに、各端部部材１４，１４の下係止部１７，１７を下連結具２の両係止爪部２８，２８に係合させる。その後は、前記同様に前記上連結具３の角孔３２内に連結軸３５の上端部を嵌合するとともに、両係止爪部３１，３１を各端部部材１４，１４の上係止部１８，１８に係止し、上方から締結ネジ３６を通孔３３を通して挿入し、前記連結軸３５の螺孔３８に螺合する。すると、前記下連結具２が引き上げられ、該第１係合部３０が下方の上連結具３の第２係合部３４に強く係合する。この際、前記下連結具２の両係止爪部２８，２８が各端部部材１４，１４の下係止部１７，１７に同時に強く接触するように寸法設定することが好ましい。
【００５１】
前記笠木部材９９は、単位パネル１の上嵌合部１１の内部に係止した係止片（図示せず）に該笠木部材９９を上方から貫通させたネジ１０１を螺合して取付け、該笠木部材９９の端部には、合成樹脂製の笠木キャップ１０２を嵌着して端部を閉塞している。尚、前記笠木キャップ１０２のフランジ部１０３の厚さは、前記端部部材１４の鍔部１５の厚さと一致させ、また内部には前記上連結具３を収容する凹部１０４を設けている。
【００５２】
図２０は、本発明のパネル連結装置の第３実施形態である。本実施形態の連結手段も、下連結具２、上連結具３及び締結具４とから構成され、下連結具２には係止爪部２８，２８と第１係合部３０を有し、上連結具３には係止爪部３１，３１と第２係合部３４を有する点は共通である。前述の実施形態と異なる点は、前記下連結具２の中央上部に筒部１０５を突設し、内部に螺孔１０６を形成し、前記上連結具３の中央部に通孔１０７を形成し、締結具４は長尺のボルト１０８からなり、前記上連結具３の通孔１０７に上方から貫通したボルト１０８の下端部を前記下連結具２の螺孔１０６に直接螺合する構造である。その他の構成は前記同様であるから、同一構成には同一符号を付してその説明は省略する。
【図面の簡単な説明】
【００５３】
【図１】複数の単位パネルを上下左右に直線状に連結した状態の部分斜視図である。
【図２】本発明の第１実施形態に係る積上げ式間仕切装置におけるパネル連結装置の要部の分解斜視図である。
【図３】単位パネルを上下に連結する構造を示す要部の分解斜視図である。
【図４】複数の単位パネルを上下左右に連結した状態の部分縦断正面図である。
【図５】単位パネルの端部の構造と笠木ベース及び笠木カバーとの関係を示す分解斜視図である。
【図６】単位パネルの端部の構造と笠木ベース、笠木カバー及び巾木部材との関係を示す分解斜視図である。
【図７】同じく単位パネルと笠木ベース、笠木カバー及び巾木部材との関係を示す縦断側面図である。
【図８】単位パネルに笠木ベースを取付ける構造と笠木カバーを保持する構造を示す平面図である。
【図９】同じく直線状連結部を示し、（ａ）は笠木ベースを取付ける前の直線状連結部の部分平面図、（ｂ）は笠木ベースを取付け、連結板で連結した状態の直線状連結部の部分平面図である。
【図１０】端部カバーを用いた終端部の処理構造を示す部分平面図である。
【図１１】中間ポストを用いた直線連結部の部分平面図である。
【図１２】Ｌ字状連結部の部分平面図である。
【図１３】Ｔ字状連結部の部分平面図である。
【図１４】十字状連結部の部分平面図である。
【図１５】終端部の処理構造を示す分解斜視図である。
【図１６】Ｌ字状連結部の構造を示す分解斜視図である。
【図１７】同じくコーナーポストと端部カバーとの関係を示す分解斜視図である。
【図１８】終端部の斜視図である。
【図１９】Ｌ字状連結部の斜視図である。
【図２０】Ｔ字状連結部の斜視図である。
【図２１】本発明の第２実施形態に係る積上げ式間仕切装置におけるパネル連結装置の要部の分解斜視図である。
【図２２】単位パネルを上下に連結する構造を示す要部の分解斜視図である。
【図２３】複数の単位パネルを上下左右に連結した状態の部分縦断正面図である。
【図２４】本発明の第３実施形態に係る積上げ式間仕切装置におけるパネル連結装置の要部の分解斜視図である。
【符号の説明】
【００５４】
１  単位パネル、          ２  下連結具、
３  上連結具、            ４  締結具、
５  笠木ベース、          ６  笠木カバー、
７  巾木部材、            ８  表面板、
９  裏面板、              １０  下嵌合部、
１１  上嵌合部、          １２  連結部、
１３  凹溝、              １４  端部部材、
１５  鍔部、              １６  凹溝部
１７  下係止部、          １８  上係止部、
１９  下穴、              ２０  タッピンねじ、
２１  底面部、            ２２  係合溝、
２３  突部、              ２４  嵌合溝、
２５  係止縁、            ２６  開口部、
２７  ハンギング溝、      ２８  係止爪部、
２９  角孔、              ３０  第１係合部、
３１  係止爪部、          ３２  角孔、
３３  通孔、              ３４  第２係合部、
３５  連結軸、            ３６  締結ネジ、
３７  バネピン、          ３８  螺孔、
３９  嵌合部、            ４０  嵌合部、
４１  ネジ、              ４２  係止部材、
４３  通孔、              ４４  角穴、
４５  螺孔、              ４６  突起、
４７  連結板、            ４８  通孔、
４９  角穴、              ５０  係止片、
５１  嵌合部材、          ５２  係止板、
５３  脚片、              ５４  凹溝、
５５  アジャスター、      ５６  笠木キャップ、
５７  フランジ部、        ５８  装着部、
５９  凹部、              ６０  端部カバー、
６１  エンドポスト、      ６２  中間ポスト、
６３  コーナーポスト、    ６４  ポストカバー、
６５  コーナーポスト、    ６６  ポストカバー、
６７  コーナーポスト、    ６８  係止部、
６９  端縁、              ７０  係止部、
７１  保形部材、          ７２  凹溝部、
７３  鍔部、              ７４  下係止部、
７５  上係止部、          ７６  開口、
７７  係止具、            ７８  係止片、
７９  横溝、              ８０  上端キャップ、
８１  嵌合突起、          ８２  爪片、
８３  筒部、              ８４  エッジ部、
８５  延長部、            ８６  凹溝部、
８７  鍔部、              ８８  開口、
８９  下係止部、          ９０  上係止部、
９１  横溝、              ９２  上端キャップ、
９３  嵌合突起、          ９４  爪片、
９５  横溝、              ９６  リブ、
９７  係合溝、            ９８  突片、
９９  笠木部材、          １００  通孔、
１０１  ネジ、            １０２  笠木キャップ、
１０３  フランジ部、      １０４  凹部、
１０５  筒部、            １０６  螺孔、
１０７  通孔、            １０８  ボルト。
【図１】
2010019037.tif 000003
【図２】
2010019037.tif 000004
【図３】
2010019037.tif 000005
【図４】
2010019037.tif 000006
【図５】
2010019037.tif 000007
【図６】
2010019037.tif 000008
【図７】
2010019037.tif 000009
【図８】
2010019037.tif 000010
【図９】
2010019037.tif 000011
【図１０】
2010019037.tif 000012
【図１１】
2010019037.tif 000013
【図１２】
2010019037.tif 000014
【図１３】
2010019037.tif 000015
【図１４】
2010019037.tif 000016
【図１５】
2010019037.tif 000017
【図１６】
2010019037.tif 000018
【図１７】
2010019037.tif 000019
【図１８】
2010019037.tif 000020
【図１９】
2010019037.tif 000021
【図２０】
2010019037.tif 000022
【図２１】
2010019037.tif 000023
【図２２】
2010019037.tif 000024
【図２３】
2010019037.tif 000025
【図２４】
2010019037.tif 000026